(57)【要約】【課題】扉の開閉時に必要な前方エリアを狭くすると同時に、開いた扉を支持する側を左右何れの側でも可能にし、かつ防水機能を有する筐体の扉構造を実現する。【解決手段】筐体１の前面開口部の左右に設けられた２枚の袖扉３ａ，３ｂと、この２枚の袖扉の間に２枚戸の折れ戸構造の中央扉２とを有し、袖扉３ａ，３ｂは筐体１の側面側にそれぞれヒンジを介し開閉可能に取り付けられ、中央扉２は筐体１に設けられた溝状のレール６ａ，６ｂを介し前面方向に折れて開閉可能に取り付けられ、中央扉２と袖扉３ａ，３ｂとの接合部にはロック機構、即ちキー８ａ，８ｂを備え、そして筐体１の前面開口部の全周縁と、中央扉２の折れ曲がり部と、中央扉２と袖扉３ａ，３ｂとの接合部にはパッキン７ａ，７ｂ，７ｃを備えている。【選択図】      図１
2005113522.tif 000002
【特許請求の範囲】
【請求項１】
筐体の前面開口部の左右に設けられた２枚の袖扉と、この２枚の袖扉の間に２枚の折れ戸構造の中央扉とを有し、前記袖扉は前記筐体の側面側にそれぞれヒンジを介し開閉可能に取り付けられ、前記中央扉は前記筐体の上面、下面部のそれぞれの前縁に沿って設けられた溝状のレールを介し前面方向に折れて開閉可能に取り付けられ、前記中央扉と前記袖扉とのそれぞれの接合部には扉の閉状態を固定するためのロック機構を備えることを特徴とする筐体の扉構造。
【請求項２】
前記中央扉は、その中央部に前記袖扉の幅寸法と等しい１枚の戸板を有する３枚の折れ戸構造であることを特徴とする請求項１記載の筐体の扉構造。
【請求項３】
前記筐体の前面開口部の全周縁と、前記中央扉の折れ曲がり部と、前記中央扉と前記袖扉とのそれぞれの接合部には、筐体内部への浸水を防止するための防水用部材を施すことを特徴とする請求項１及び２記載の筐体の扉構造。
【請求項４】
筐体の前面開口部全体を覆う２枚の折れ戸構造の前面扉を有し、前記前面扉は前記筐体の上面、下面のそれぞれの前縁に沿って設けられた溝状のレールを介し前面方向に折れて開閉可能に取り付けられると同時にその左右何れか一方の端部を固定して他方の端部から開閉可能に取り付けられ、前記前面扉を閉じた時に前記前面扉の左右両端部と前記筐体の側面部とのそれぞれの接合部には閉状態を固定するためのロック機構を備えることを特徴とする筐体の扉構造。
【請求項５】
筐体の前面開口部全体を覆う２枚の折れ戸構造の前面扉を有し、前記前面扉は前記筐体の上面、下面のそれぞれの前縁に沿って設けられた溝状のレールを介し前面方向に折れて開閉可能に取り付けられ、前記前面扉を閉じた時に前記前面扉の折れ曲がり部に閉状態を固定するためのロック機構を備えることを特徴とする筐体の扉構造。
【請求項６】
前記筐体の前面開口部の全周縁と、前記前面扉の折れ曲がり部には、筐体内部への浸水を防止するための防水用部材を施すことを特徴とする請求項４及び５記載の筐体の扉構造。
【請求項７】
前記ロック機構は、施錠機能を備えることを特徴とする請求項１，２，３，４，５或いは６記載の筐体の扉構造。
【発明の詳細な説明】
【技術分野】
【０００１】
本発明は筐体の扉構造に関し、特に内部に通信機器を収容し屋外に設置される小型筐体の扉構造に関する。
【背景技術】
【０００２】
一般的なこの種筐体の扉構造は、片開きの１枚扉、或いは両開きの２枚扉が普通である。しかし、このような扉構造では、扉を開閉する時にその前方に扉の幅寸法分のエリアを必要とするので、狭い場所での設置作業の時など、作業がやりにくく不便である場合がある。
【０００３】
これを改善する方法として、扉部分に折れ戸を使用することが考えられる。この折れ戸の従来における使用例を図７に示す。図７は折れ戸の従来使用例を示す斜視図である。
【０００４】
この従来使用例は、折れ戸をトイレットルームのドアに使用した例で、２枚の戸板７１，７２を蝶番で連結した折畳みドア７０がそれである。戸板７２の端部を一方に仕切壁の側端部にピン７５で枢支するとともに、他方の戸板７１の上端部の他方の仕切壁側にピン７６を突設し、このピン７６を両仕切壁間に架設された笠木７３下面の溝状のレールに係合させ、ドアを開閉の際このレールに沿ってピン７６をスライドさせるようにしている。（例えば、特許文献１参照。）
更に図８に他の折れ戸の使用例を示す。図８は他の折れ戸の従来使用例を示す斜視図である。収納キャビネット８２に両開きの折れ戸を設けたもので、２枚戸の折れ戸８２，８３を、それぞれ一端を収納キャビネット８２の側板に枢支し、取っ手８３をつまみ両方に開くようにしたものである。（例えば、特許文献２参照。）
【特許文献１】特開平８−１５８６７２号公報（第４頁，図１）
【特許文献２】特開平１０−５０６０号公報（図１）
【発明の開示】
【発明が解決しようとする課題】
【０００５】
上述した従来例では、何れも扉の開閉時の前方エリアは、狭くて済む効果はあるが、この折れ戸を本発明が対象とする筐体に使用した場合、以下に述べる問題がある。
【０００６】
本発明が対象とする筐体は、内部に通信機を収容し、柱上など足場に悪い屋外、或いは狭い局舎内に他の通信機筐体と併設されるなどで、設置環境が極めて悪く作業エリアが限定される場所に設置される。このような場所に設置された場合、折れ戸構造の扉は前述したように開閉に必要な前方エリアが狭くて済むという効果はあるが、しかし扉を完全に開いた状態で作業する時に、開いた扉を支持する側にある筐体内部を点検する時など、開いた扉が邪魔になるという問題がある。
【０００７】
更に、本筐体を屋外に設置した場合、従来例における構造では雨水などが筐体内部に侵入してしまうという問題がある。
【０００８】
本発明の目的は、筐体の扉を折れ戸構造にして開閉時の前方エリアを狭くすると同時に、扉を固定する側を左右何れでも可能にし、かつ扉を閉めた時に浸水を防止する防水用部材を設けるなどして、開けた扉が邪魔にならず、かつ屋外に設置可能な筐体の扉構造を実現することにある。
【課題を解決するための手段】
【０００９】
本発明の筐体の扉構造は、筐体の前面開口部の左右に設けられた２枚の袖扉と、この２枚の袖扉の間に２枚の折れ戸構造の中央扉とを有し、前記袖扉は前記筐体の側面側にそれぞれヒンジを介し開閉可能に取り付けられ、前記中央扉は前記筐体の上面、下面部のそれぞれの前縁に沿って設けられた溝状のレールを介し前面方向に折れて開閉可能に取り付けられ、前記中央扉と前記袖扉とのそれぞれの接合部には扉の閉状態を固定するためのロック機構を備えている。
【００１０】
尚、前記中央扉は、その中央部に前記袖扉の幅寸法と等しい１枚の戸板を有する３枚の折れ戸構造にしても良い。
【００１１】
更に、前記筐体の前面開口部の全周縁と、前記中央扉の折れ曲がり部と、前記中央扉と前記袖扉とのそれぞれの接合部には、筐体内部への浸水を防止するための防水用部材を施すようにしても良い。
【００１２】
また、本発明の筐体の扉構造は、筐体の前面開口部全体を覆う２枚の折れ戸構造の前面扉を有し、前記前面扉は前記筐体の上面、下面のそれぞれの前縁に沿って設けられた溝状のレールを介し前面方向に折れて開閉可能に取り付けられると同時にその左右何れか一方の端部を固定して他方の端部から開閉可能に取り付けられ、前記前面扉を閉じた時に前記前面扉の左右両端部と前記筐体の側面部とのそれぞれの接合部には閉状態を固定するためのロック機構を備えている。
【００１３】
また、本発明の筐体の扉構造は、筐体の前面開口部全体を覆う２枚の折れ戸構造の前面扉を有し、前記前面扉は前記筐体の上面、下面のそれぞれの前縁に沿って設けられた溝状のレールを介し前面方向に折れて開閉可能に取り付けられ、前記前面扉を閉じた時に前記前面扉の折れ曲がり部に閉状態を固定するためのロック機構を備えている。
【００１４】
尚、前記筐体の前面開口部の全周縁と、前記前面扉の折れ曲がり部には、筐体内部への浸水を防止するための防水用部材を施すようにしても良い。
【００１５】
更に、前記ロック機構は、施錠機能を備えるようにしても良い。
【発明の効果】
【００１６】
本発明の筐体の扉構造は、筐体の扉を折れ戸構造にしているので、開閉時の前方エリアを狭くする効果がある。更に、扉を支持する側を左右何れの側でも可能にしたので、開けた扉が邪魔にならないという効果がある。また、扉を閉めた時に浸水を防止する防水用部材を設けているので、屋外に設置可能であるという効果がある。
【発明を実施するための最良の形態】
【００１７】
次に本発明の実施の形態について図面を参照して説明する。
【００１８】
図１は、本発明の第１の実施の形態例における扉の全開時の状態を示す斜視図、図２は、図１における扉の（ａ）半開時、（ｂ）全閉時の状態を示す各斜視図、図３は図１におけるキー部の開閉動作を説明する（ａ）閉状態、（ｂ）開状態を示す各断面図、図４は、図１における中央扉を３枚戸の折れ戸にした時の（ａ）全開時、（ｂ）半開時、（ｃ）全閉時の状態を示す各斜視図である。
【００１９】
図５は、本発明の第２の実施の形態例における扉の（ａ）全開時、（ｂ）半開時、（ｃ）全閉時の状態を示す各斜視図である。
【００２０】
図６は、本発明の第３の実施の形態例における扉の（ａ）全開時、（ｂ）半開時、（ｃ）全閉時の状態を示す各斜視図である。
【００２１】
先ず、図１を参照して本発明の第１の実施の形態例の構成について説明する。筐体１の前面開口部の左右に設けられた２枚の袖扉３ａ，３ｂと、この２枚の袖扉の間に２枚戸の折れ戸構造の中央扉２とを有し、袖扉３ａ，３ｂは筐体１の側面側にそれぞれヒンジ（図示せず）を介し開閉可能に取り付けられ、中央扉２は筐体１の上面、下面部のそれぞれの前縁に沿って設けられた溝状のレール６ａ，６ｂを介し前面方向に折れて開閉可能に取り付けられ、中央扉２と袖扉３ａ，３ｂとのそれぞれの接合部には扉の閉状態を固定するためのロック機構、即ちキー８ａ，８ｂを備えている。
【００２２】
そして、筐体１の前面開口部の全周縁と、中央扉２の折れ曲がり部と、中央扉２と袖扉３ａ，３ｂとのそれぞれの接合部には、筐体内部への浸水を防止するための防水用部材、即ちパッキン７ａ，７ｂ，７ｃとを備えている。
【００２３】
中央扉２は、２枚戸を２個のヒンジ２２で回動可能に連結し、その両上下端部にはそれぞれローラー２１ａ，２１ｂが回動可能に取り付けられている。ローラー２１ａ，２１ｂは筐体１側のレール６ａ，６ｂに係合し、この溝に沿ってスライドして中央扉２を開閉する。
【００２４】
キー８ｂの内部構造を図３を参照して説明する。中央扉２の裏面に固定された受け金具８１ｂと、袖扉３ｂ側に設けられこの受け金具８１ｂに係合して中央扉２と袖扉３ｂとを連結する引込金具８２ｂと、引込金具８２ｂとクランクを介して連結され回転することにより引込金具８２ｂを横方向にスライドさせる回転軸８３ｂとで構成される。
【００２５】
また、回転軸８３ｂの頭にはキーハンドル４が連結され、回転軸に回転を与えることにより、扉を開閉する。キーハンドル４は、不使用時に回転軸８３ｂから容易に外すことができるので、施錠効果がある。尚、キー８ａについても同様な構造である。
【００２６】
次に図２を参照して動作について説明する。図２（ｂ）の全閉の状態から扉を開く場合において、先ずキーハンドル４をキー８ｂの回転軸の頭に差込み、９０°回転する。すると中央扉２と袖扉３ｂとの連結が開放されるので、先ず袖扉３ｂを開き、次に中央扉２を左方にスライドして開くと、図２（ａ）の状態となる。更に中央扉２を左方にスライドしていくと、中央扉２の左側戸板は袖扉２ａと連結された状態にあるので右側戸板とは幅寸法が異なり、このためローラー２１ａ，２１ｂはレール６ａ，６ｂの溝を外れ（レール６ａ，６ｂにはこの個所に切れ目がある）フリーとなり、全開時は図１に示す状態となる。
【００２７】
また、図１の状態から扉を閉じる時は、中央扉２を前方に少し押す力を加えつつ右方にスライドしていくと、ローラー２１ａ，２１ｂはレール６ａ，６ｂの溝に入り、この溝をスライドして、結局、図２（ｂ）の全閉の状態になる。この状態でキーハンドル４をキー８ｂの回転軸の頭に差込み、９０°回転して扉を固定する。この時キーハンドル４を回転する力を多少強く必要とするが、これはキー８ｂを図３（ｂ）の開の状態からキーハンドル４を回転させ図３（ａ）の閉の状態にする時に、引込金具８２ｂが金具８１ｂに係合して強く引き込むために必要な力である。これはパッキンが設けられた扉と筐体との各接合部の接触を強めて防水効果を確実にするためである。尚、以上は右開きの場合につき説明したが左開きの場合も同様である。
【００２８】
次に図４を参照して、本発明の第１の実施の形態例の中央扉を３枚戸に変更した場合の他の実施の形態例を説明する。本実施の形態例は、図１の中央扉を３枚戸の折れ戸構造の中央扉５に変更したもので、中央扉５はその中央部に袖扉３の幅寸法と等しい１枚の戸板とその左右に等幅寸法の２枚の戸板とを有し、各戸板間はヒンジにより回動可能に連結されたものである。また、溝状のレール９ａ，９ｂが筐体１の上面、下面部のそれぞれの前縁の全幅に沿って設けられている。その他は図１と同じ構成である。図１に比べると中央扉の構造が複雑となるが、扉の開閉操作が簡単になる特徴がある。
【００２９】
次に動作について説明する。図４（ｃ）の全閉の状態から扉を開ける時は、先ずキーハンドル４をキー８ｂの回転軸の頭に差込み、９０°回転する。すると中央扉５と袖扉３ｂとの連結が開放されるので、先ず袖扉３ｂを開き、次に中央扉５を左方にスライドして開けると、図４（ｂ）の状態となる。更に中央扉２を左方にスライドしていくと、中央扉５の左側戸板と袖扉２ａとは連結された状態にあるが、この幅寸法と右側戸板と中央戸板とが直線に連結された時の幅寸法とは等しいので、結局、ローラーはそのままレール９ａ，９ｂの溝に沿ってスライドして行き、図４（ａ）の全開の状態になる。
【００３０】
扉を閉じる時は、中央扉５をそのまま右方向にスライドさせれば良く、そして袖扉３ｂを閉じれば図４（ｃ）の閉の状態になる。尚、以上は右開きの場合につき説明したが左開きの場合も同様である。
【００３１】
次に、図５を参照して本発明の第２の実施の形態例について説明する。本実施の形態例は図１に比べると、袖扉が無いので構造が簡単で、かつ操作も簡単になるという特徴があるが、反面、防水性能がやや劣るという欠点がある。
【００３２】
図５（ａ）において構成を説明する。筐体５１の前面開口部全体を覆う２枚戸の折れ戸構造の前面扉５２を有し、前面扉５２は筐体５１の上面、下面のそれぞれの前縁に沿って設けられた溝状のレール５６ａ，５６ｂを介し前面方向に折れて開閉可能に取り付けられると同時にその左右何れか一方の端部を固定して他方の端部から開閉可能に取り付けられ、前面扉５２を閉じた時に前面扉５２の左右両端部と筐体の側面部、即ち袖部５１１ａ，５１１ｂとのそれぞれの接合部には閉状態を固定するためのロック機構、即ちキー５８ａ，５８ｂを備えている。
【００３３】
また、筐体５１の前面開口部の袖部を含む全周縁と、中央扉５２の折れ曲がり部には、筐体内部への雨水の浸水を防止するための防水用部材、即ちパッキン５７ａ，５７ｂを備えている。
【００３４】
また、中央扉５２は、２枚戸を２個のヒンジ５２２で回動可能に連結し、その両上下端部にはそれぞれローラー５２１ａ，５２１ｂが端部に対し回動可能に取り付けられている。ローラー５２１ａ，５２１ｂは筐体１側のレール５６ａ，５６ｂに係合し、この溝に沿ってスライドして中央扉５２を開閉する。
【００３５】
キー５８ｂは、筐体の袖部５１１ｂに設けられており、その構造を図５（ｃ）の部分詳細図を参照して説明する。キー５８ｂは、中央扉５２の先端部に設けられたピン５２３に係合する引掛金具５８１ｂと、引掛金具５８１ｂを図示のようにキーハンドル５４の回転により回動させる回転部582とから構成されている。
【００３６】
次に動作について説明する。図５（ｃ）の全閉の状態から扉を開ける時は、先ずキーハンドル５４をキー５８ｂの回転部５８２の頭に差込み、９０°回転する。同図の部分詳細図に示したように、引掛金具５８１ｂは点線で示したように中央扉５２のピン５２３から外れ、中央扉５２は左方向にスライド可能となる。尚、左側のキー５６ａは、この時、部分詳細図に示したロック状態にあり、中央扉５２の左側端部にあるピン５２３を介し回動可能に固定されている。そして中央扉５２の右側端部を左方向にスライドして行けば、図５（ｂ）を経過して図５（ａ）の全開の状態にすることができる。
【００３７】
扉を閉じる時は、中央扉５１の右側端部を右方向にスライドさせれば良く、簡単に閉の状態にできる。尚、以上は右開きの場合につき説明したが左開きの場合も同様である。
【００３８】
次に、図６を参照して本発明の第３の実施の形態例について説明する。本実施の形態例は図５に比べると、更に構造が簡単で、かつ操作も簡単になるという特徴がある反面、防水性能が更に劣るという欠点がある。
【００３９】
図６（ａ）において構成を説明する。筐体６１の前面開口部全体を覆う２枚戸の折れ戸構造の前面扉６２を有し、前面扉６２は筐体６１の上面、下面のそれぞれの前縁に沿って設けられた溝状のレール６６ａ，６６ｂを介し前面方向に折れて開閉可能に取り付けられ、前面扉６２閉じた時に前面扉６２の中央部の折れ曲がり部には閉状態を固定するためのロック機構、即ちキー６８を備えている。
【００４０】
また、筐体６１前面開口部の全周縁と、中央扉６２の折れ曲がり部には、筐体内部への雨水の浸水を防止するための防水用部材、即ちパッキン６７ａ，６７ｂを備えている。
【００４１】
また、中央扉６２は、２枚戸を２個のヒンジ６２２で回動可能に連結し、その両上下端部にはそれぞれローラー６２１ａ，６２１ｂが端部に対し回動可能に取り付けられている。ローラー６２１ａ，６２１ｂは筐体１側のレール６６ａ，６６ｂに係合し、この溝に沿ってスライドして中央扉６２を開閉する。
【００４２】
キー６８は、筐体６２の折れ曲がり部に設けられており、その構造を図６（ｃ）の部分詳細図を参照して説明する。キー６８は、中央扉６２の左側戸板に設けられた溝に嵌入して左右の戸板を固定する止め金具６８１と、止め金具６８１に直結しキーハンドル６４の回転により止め金具６８１を回動させる回転軸６８２とで構成され、キーハンドル６４の回転により中央扉６２の開閉を行う。
【００４３】
次に動作について説明する。図６（ｃ）の全閉の状態から扉を開ける時は、先ずキーハンドル６４をキー６８の回転軸６８２の頭に差込み、９０°回転する。同図の部分詳細図に示したように、止め金具６８１は回動して溝から外れ、中央扉６２は開くことができる状態になる。そして中央扉６２の右側端部を左方向にスライドして行けば、図６（ｂ）を経過して図６（ａ）の全開の状態にすることができる。この全開状態の中央扉６２をそのまま右側にスライドすれば右側に移動することができる。
【００４４】
扉を閉じる時は、中央扉６１の中央部を押し込むことにより、扉は左右に開き簡単に閉の状態にできる。
【産業上の利用可能性】
【００４５】
小型の筐体全般に利用することができる。
【図面の簡単な説明】
【００４６】
【図１】本発明の第１の実施の形態例における扉の全開時の状態を示す斜視図である。
【図２】図１における扉の（ａ）半開時、（ｂ）全閉時の各状態を示す斜視図である。
【図３】図１におけるキー部の開閉動作を説明する（ａ）閉状態、（ｂ）開状態を示す各断面図である。
【図４】図１における中央扉を３枚戸の折れ戸にした時の扉の（ａ）全開時、（ｂ）半開時、（ｃ）全閉時の各状態を示す斜視図である。
【図５】本発明の第２の実施の形態例における扉の（ａ）全開時、（ｂ）半開時、（ｃ）全閉時の各状態を示す斜視図である。
【図６】本発明の第３の実施の形態例における扉の（ａ）全開時、（ｂ）半開時、（ｃ）全閉時の各状態を示す斜視図である。
【図７】従来例を示す斜視図である。
【図８】他の従来例を示す斜視図である。
【符号の説明】
【００４７】
１，５１，６１    筐体
２    中央扉
５２，６２    前面扉
３ａ，３ｂ    袖扉
４，５４，６４    キーハンドル
６ａ，６ｂ，５６ａ，５６ｂ，６６ａ，６６ｂ    レール
７ａ，７ｂ，７ｃ，５７ａ，５７ｂ，６７ａ，６７ｂ    パッキン
８ａ，８ｂ，５８ａ，５８ｂ，６８    キー
９ａ，９ｂ    レール
【図１】
2005113522.tif 000003
【図２】
2005113522.tif 000004
【図３】
2005113522.tif 000005
【図４】
2005113522.tif 000006
【図５】
2005113522.tif 000007
【図６】
2005113522.tif 000008
【図７】
2005113522.tif 000009
【図８】
2005113522.tif 000010